(57)【要約】      （修正有）【課題】簡素な構造で取り扱いやすく、小さく収納できる介護用背負い具を提供する。【解決手段】座及び座につながる背あて部分１を有する背負い具において、背あて外側右上部から座の外側左下部分前端まで、及び背あて外側左上部から座の外側右下部分前端まで通した背負い帯上側２と、座の上前端近くに取り付けた背負い帯下側２’と、背負い帯上側２が介護者の肩から外れないように背負い帯上側２の左右において介護者の胸に位置するところに胸ベルト５，５’を設け、かつ被介護者の体重を介護者の腰でも支えるように座の最前端部分に介護者用腰ベルト６を設けた。【選択図】図１
0003198340.tif 000002
【実用新案登録請求の範囲】
【請求項１】
実用新案登録第３０８０４６１号に示した介護用背負い具の改良型。
【考案の詳細な説明】
【技術分野】
【０００１】    実用新案登録第３０８０４６１号に示した介護用背負い具の改良型である。
【背景技術】
【０００２】    実用新案登録第３０８０４６１号に示した介護用背負い具においては、丈夫さ及び安全性を主眼に置き、本体布地に綿布８号を使用し、非介護者の臀部を包み込むように整形した背あて１を使用した。
【先行技術文献】
【特許文献】
【０００３】
【特許文献１】  特開  平１０−１１３３６３  背負い帯
【非特許文献】
【０００４】
【非特許文献１】  実案３１１９３２３号  背負い具
【考案の概要】
【考案が解決しようとする課題】
【０００５】    実用新案登録第３０８０４６１号に示した介護用背負い具においては、丈夫さ及び安全性を重要視したことにより、布地が硬い、装着方法が面倒である、等の難点があった。
【課題を解決するための手段】
【０００６】    布地においては、防炎ポリエステルである東レのキャンテリアを使用することにより、布地の硬さを軽減した。【０００７】    構造面のおいては、背あて１の左右側面を取り外し、背負い帯２の取り付け位置を上げることにより側面部分の役割をはたすこととした。【０００８】    装着方法に関しては、バックル雌５バックル雄５’に同番号を付すことにより、改善した。
【考案の効果】
【０００９】    本考案の背負い具は小さくたためるので、介護移送車の中又は車椅子のハンドル部分などに手軽に収納できる。【００１０】    本考案の背負い具は従来のものより薄いので、非介護者を少し前かがみになっていただくだけで後方から容易に装着できる。【００１１】    布地を薄くし、背あて１の側面部分を取り外す等、材料と製作費を軽減できるので、安値にて供給できる。
【図面の簡単な説明】
【００１２】
【図１】は、介護用背負い具の主要部品である。
【図２】は、介護用背負い具の概要図である。
【図３】は、後方向から描くことにより、背負い帯が左右にクロスしている様子を示した。
【考案を実施するための最良の形態】
【実施例１】
【００１３】    介護者用腰ベルト６をしっかりと締めることにより非介護者の重量を主に介護者の腰部分で支えるので肩にかかる重量を軽減できる。
【実施例２】
【００１４】    移送介護をする場合は補助者が付き添うので立ち上がりの補助と転倒防止のために補助取手７を設けた。
【産業上の利用可能性】
【００１５】    本考案の背負い帯は、高齢者又は障害者の方々の斜面地、階段等の移動のために開発したものであるが、病院、施設、又は一般のビル火災等の非常時に使用できる。
【符号の説明】
【００１６】    １        ：  背あて
２、２’  ：  背負い帯
３        ：  補助帯
４        ：  ゆとり帯
５、５’  ：  胸ベルト
６        ：  介護者用腰ベルト
７、７’  ：  バックル雌、雄
【図１】
0003198340.tif 000003
【図２】
0003198340.tif 000004
【図３】
0003198340.tif 000005
【手続補正書】
【提出日】平成27年1月15日(2015.1.15)
【手続補正１】
【補正対象書類名】実用新案登録請求の範囲
【補正対象項目名】全文
【補正方法】変更
【補正の内容】
【実用新案登録請求の範囲】
【請求項１】
肢体不自由者、老人等を背負って移動させる場合に用いる背負い具である、被介護者の体重を介護者の肩だけでなく腰でも支えられるよう介護者用腰ベルト６を装備した。
【手続補正２】
【補正対象書類名】明細書
【補正対象項目名】全文
【補正方法】変更
【補正の内容】
【考案の詳細な説明】
【技術分野】
【０００１】    肢体不自由者、老人等を背負って移動させる場合に用いる。
【背景技術】
【０００２】    従来の背負い帯は、被介護者が介護者の背中に押し付けられて苦しい又、介護者は肩に背負い帯がくいこみ痛い等の難点があった。
【先行技術文献】
【特許文献】
【０００３】
【特許文献１】  特開  平１０−１１３３６３  背負い帯  実案  ３０８０４６１  介護用背負い帯
【非特許文献】
【０００４】
【非特許文献１】  実案３１１９３２３号  背負い具
【考案の概要】
【考案が解決しようとする課題】
【０００５】    従来の介護用背負い具においては、布地が硬い、装着方法が面倒である、等の難点があった。
【課題を解決するための手段】
【０００６】    布地においては、防炎ポリエステルである東レのキャンテリアを使用することにより、布地の硬さを軽減した。【０００７】    構造面においては被介護者の体重を介護者の肩だけでなく腰でも支えられるように介護者用腰ベルト６を装備した。【０００８】    背あて１は座と背宛部分とし、背負い帯２の取り付け位置を背宛１の最上部までを上げることにより側面部分の役割をはたすこととした。【０００９】    装着方法に関しては、バックル雌５バックル雄５’に同番号を付すことにより改善した。
【考案の効果】
【００１０】    本考案の背負い具は小さくたためるので、介護移送車の中又は車椅子のハンドル部分などに手軽に収納できる。【００１１】    本考案の背負い具は従来のものより薄いので、非介護者を少し前かがみになっていただくだけで後方から容易に装着できる。【００１２】    布地を薄くし、背あてと座１を一枚ものにする、薄い布地で製作する等で、材料と製作費を軽減できるので、安値にて供給できる。
【図面の簡単な説明】
【００１３】
【図１】は、介護用背負い具の主要部品である。
【図２】は、介護用背負い具の概要図である。
【図３】は、後方向から描くことにより、背負い帯が左右にクロスしている様子を示した。
【考案を実施するための最良の形態】
【実施例１】
【００１４】    介護者用腰ベルト６をしっかりと締めることにより非介護者の重量を主に介護者の腰部分で支えるので肩にかかる重量を軽減できる。
【実施例２】
【００１５】    移送介護をする場合は補助者が付き添うので立ち上がりの補助と転倒防止のために補助取手７を設けた。
【産業上の利用可能性】
【００１６】    本考案の背負い帯は、高齢者又は障害者の方々の斜面地、階段等の移動のために開発したものであるが、病院、施設、又は一般のビル火災等の非常時に使用できる。
【符号の説明】
【００１７】      １      ：  背あて
２、２’：  背負い帯
３      ：  補助帯
４      ：  ゆとり帯
５、５’：  胸ベルト
６      ：  介護者用腰ベルト
７、７’：  バックル雌、雄
【手続補正書】
【提出日】平成27年4月2日(2015.4.2)
【手続補正１】
【補正対象書類名】実用新案登録請求の範囲
【補正対象項目名】全文
【補正方法】変更
【補正の内容】
【実用新案登録請求の範囲】
【請求項１】
座及び座につながる背あて部分１を有する背負い具において、背あて外側右上部から座の外側左下部分前端までと背あて外側左上部から座の外側右下部分前端まで通した背負い帯上側２と座の上前端近くに取り付けた背負い帯下側２’と背負い帯上側２が介護者の肩から外れないように背負い帯上側２の左右介護者の胸部分に位置するところに胸ベルト５，５’を設けかつ被介護者の体重を介護者の腰でも支えるように座１の最前端部分に介護者用腰ベルト６を設けた被介護者を移送するための背負い具。
【手続補正２】
【補正対象書類名】明細書
【補正対象項目名】全文
【補正方法】変更
【補正の内容】
【考案の詳細な説明】
【技術分野】
【０００１】    肢体不自由者、老人等を背負って移動させる場合に用いる。
【背景技術】
【０００２】    従来の背負い帯は、被介護者が介護者の背中に押し付けられて苦しい又、介護者は肩に背負い帯がくいこみ痛い、当の難点があった。
【先行技術文献】
【特許文献】
【０００３】
【特許文献１】  特開  平１０−１１３３６３  背負い帯  実案  ３０８０４６１  介護用背負い帯
【非特許文献】
【０００４】
【非特許文献１】  実案３１１９３２３号  背負い具
【考案の概要】
【考案が解決しようとする課題】
【０００５】    従来の介護用背負い具においては、布地が硬い、装着方法が面倒である、等の難点があった。
【課題を解決するための手段】
【０００６】    布地においては、防炎ポリエステルである東レのキャンテリアを使用することにより、布地の硬さを軽減した。【０００７】    構造面においては被介護者の体重を介護者の肩だけでなく腰でも支えられるように介護者用腰ベルト６を装備した。【０００８】    背あて１は座と背宛部分とし、背負い帯２の取り付け位置を背宛１の最上部までを上げることにより側面部分の役割をはたすこととした。【０００９】    装着方法に関しては、バックル雌７バックル雄７’に同番号を付すことにより、改善した。
【考案の効果】
【００１０】    本考案の背負い具は小さくたためるので、介護移送車の中又は車椅子のハンドル部分などに手軽に収納できる。【００１１】    本考案の背負い具は従来のものより薄いので、非介護者を少し前かがみになっていただくだけで後方から容易に装着できる。【００１２】    布地を薄くし、背あてと座１を一枚ものにする、薄い布地で製作する等で、材料と製作費を軽減できるので、安値にて供給できる。
【図面の簡単な説明】
【００１３】
【図１】は、介護用背負い具の主要部品である。
【図２】は、介護用背負い具の概要図である。
【図３】は、後方向から描くことにより、背負い帯が左右にクロスしている様子を示した。
【考案を実施するための最良の形態】
【実施例１】
【００１４】    介護者用腰ベルト６をしっかりと締めることにより非介護者の重量を主に介護者の腰部分で支えるので肩にかかる重量を軽減できる。
【実施例２】
【００１５】    移送介護をする場合は補助者が付き添うので立ち上がりの補助と転倒防止のために補助取手７を設けた。
【産業上の利用可能性】
【００１６】    本考案の背負い帯は、高齢者又は障害者の方々の斜面地、階段等の移動のために開発したものであるが、病院、施設、又は一般のビル火災等の非常時に使用できる。
【符号の説明】
【００１７】    １      ：  背あて、座
２      ：  背負い帯上側
２’    ：  背負い帯下側
３      ：  補助帯
４      ：  ゆとり帯
５、５’：  胸ベルト
６      ：  介護者用腰ベルト
７、７’：  バックル雌、雄
８      ：  補助取手
【手続補正３】
【補正対象書類名】図面
【補正対象項目名】全図
【補正方法】変更
【補正の内容】
【図１】
0003198340.tif 000006
【図２】
0003198340.tif 000007
【図３】
0003198340.tif 000008